(57)【要約】【課題】  予約を設定する時点で最も視聴者が期待する録画結果となるような予約設定を導くことを補助する。【解決手段】  スケジューリングされて提供されるコンテンツを予約して録画できる機能を備えた予約録画装置であって、所望のコンテンツの受信を予約できる予約手段と、予約内容が期待通りに実行される予約成功率を算出しその結果を提示する予約成功率提示手段とを備えた。予約設定の時点で、雨天による番組の中止確率や、番組が延長する確率などから当該予約が成功する確率を提示することにより、予約設定の時点で、事後の予約処理の対応を柔軟に選択できるという優れた効果がある。また、あらかじめ代替番組を登録する機構を設けることにより、実際に番組が中止した場合にも、より利用者の要求に近い予約処理を行うことが可能となる。【選択図】  図１
2006074459.tif 000002
【特許請求の範囲】
【請求項１】
スケジューリングされて提供されるコンテンツを予約して録画できる機能を備えた予約録画装置であって、所望のコンテンツの受信を予約できる予約手段と、前記予約内容が実行される予約成功率を算出しその結果を提示する予約成功率提示手段とを備えた予約録画装置。
【請求項２】
前記予約成功率提示手段は、予約成功率の算出に、当該コンテンツ提供地の天候を用いる請求項１記載の予約録画装置。
【請求項３】
前記予約成功率提示手段は、予約成功率の算出に、録画媒体の残量に基づく録画可能時間と、当該コンテンツ提供時間が延長する可能性とを用いる請求項１記載の予約録画装置。
【請求項４】
スケジューリングされて提供されるコンテンツを予約して録画できる機能を備えた予約録画装置であって、所望のコンテンツの受信を予約できる予約手段と、前記予約内容が利用者にとってどの程度希望を満たすものであるかという予約希望度を算出しその結果を提示する予約希望度提示手段とを備えた予約録画装置。
【請求項５】
前記予約希望度を監視する予約希望度監視手段と、利用者が予約録画を実行するために必要な閾値を設定する予約希望度設定手段と、予約されたコンテンツの予約希望度が、前記予約希望度設定手段により設定された閾値を下回ったときに自動的に予約を取り消す予約取り消し手段とを備えた請求項４記載の予約録画装置。
【請求項６】
前記予約希望度を監視する予約希望度監視手段と、利用者が予約録画を実行するために必要な閾値を設定する予約希望度設定手段と、予約されたコンテンツの予約希望度が、前記予約希望度設定手段により設定された閾値を下回ったときに自動的に録画を一時停止し、閾値を上回ったときに録画を再開する予約待機手段とを備えた請求項４記載の予約録画装置。
【請求項７】
予約されたコンテンツが中止されたとき、またはコンテンツの予約希望度が利用者により予め設定された閾値を下回ったために予約処理を中止したときに、代わりに予約するコンテンツを登録する代替予約登録手段を備えた請求項１または４記載の予約録画装置。
【発明の詳細な説明】
【技術分野】
【０００１】
この発明は、スケジューリングされた番組をあらかじめ予約して受信・録画できる予約録画装置に関する。
【背景技術】
【０００２】
現行放送においては、あらかじめ放送される番組の放送スケジュールが決定されており、従来のテレビジョン放送受信機では、視聴者がその予定された放送スケジュールに従って、ビデオテープレコーダ、ＤＶＤレコーダ、ＨＤＤレコーダなどの録画機器に、所望するテレビジョン番組を録画予約する機能を備えている。予約方法としては、番組の開始時刻・終了時刻・放送チャンネルを指定するタイマ予約方法や、Ｇコードを入力することで番組を指定することができるＧコード入力方法などが挙げられる。また、電子番組ガイドを入手して表示できる機能を備えたテレビジョン放送受信機では、電子番組ガイドを表示させた上で番組を選択するだけで録画予約が可能となる方法も考えられている。
【０００３】
一方で、録画予約しようとした番組放送が例えばスポーツ中継など、天候に左右される番組であれば、番組の中止、延期、及び中断などがあり得る。また、放送局側の事情により予定された放送スケジュールが変更されることもあり得る。
【０００４】
そこで、視聴者によって指定された予約開始時間・終了時間と実際に放送が開始される時刻との差異データからなる番組関連情報が番組情報に多重された放送信号を受信して、番組関連情報を分離して解析し、その解析結果に基づいて番組の音声・映像信号を記録機器に記録することにより、録画予約しようとする番組の開始時刻や終了時刻が変更になった場合でも、所望する番組を番組開始時刻から終了時刻まで録画機器に記録するようにした映像信号記録装置が知られている（例えば、特許文献１参照）。
【０００５】
また、ＢＳデジタル放送などでは、番組固有の識別情報（ＩＤ）が付加されて放送されるため、録画予約しようとする所望の放送時刻や終了時刻が変更になった場合でも、上記のＩＤを検出してから録画を開始するようにすることにより、所望する番組を番組開始時刻から終了時刻まで記録機器に記録することができる。
【特許文献１】特開平１０−１１８４３号公報
【発明の開示】
【発明が解決しようとする課題】
【０００６】
上述したような番組の放送スケジュールの変更に伴い、録画を予約していた番組の放送スケジュールが中止された場合、視聴者の中には、当該番組の中止に伴い放送される代替番組ではなく、違う局の番組を別途予約したいと考える人もいる。
【０００７】
また、スポーツ中継など、最終的に勝敗が決定するような番組では、当該番組の放送時間延長に常に追随して録画するのではなく、例えばひいきのチームが勝つ可能性が高い場合のみ追随して録画したいと考える人もいる。
【０００８】
従来、違う局の番組を別途予約する場合には、視聴者が予約番組の中止を認識した時点で自ら予約を設定しなおす必要がある。また、番組の延長に追随するか否かは予約時に一意に設定する必要がある。
【０００９】
しかし、予約番組の変更が決定した時点では、視聴者は予約を設定しなおせる状況にないことが多いという問題があった。
【００１０】
したがって、この発明の目的は、上記のような事情を鑑み、予約を設定する時点で最も視聴者が期待する録画結果となるような予約設定を導くことを補助することができる予約録画装置を提供することである。
【課題を解決するための手段】
【００１１】
上記課題を解決するために、この発明の請求項１記載の予約録画装置は、スケジューリングされて提供されるコンテンツを予約して録画できる機能を備えた予約録画装置であって、所望のコンテンツの受信を予約できる予約手段と、前記予約内容が実行される予約成功率を算出しその結果を提示する予約成功率提示手段とを備えた。
【００１２】
請求項２記載の予約録画装置は、請求項１記載の予約録画装置において、前記予約成功率提示手段は、予約成功率の算出に、当該コンテンツ提供地の天候を用いる。
【００１３】
請求項３記載の予約録画装置は、請求項１記載の予約録画装置において、前記予約成功率提示手段は、予約成功率の算出に、録画媒体の残量に基づく録画可能時間と、当該コンテンツ提供時間が延長する可能性とを用いる。
【００１４】
請求項４記載の予約録画装置は、スケジューリングされて提供されるコンテンツを予約して録画できる機能を備えた予約録画装置であって、所望のコンテンツの受信を予約できる予約手段と、前記予約内容が利用者にとってどの程度希望を満たすものであるかという予約希望度を算出しその結果を提示する予約希望度提示手段とを備えた。
【００１５】
請求項５記載の予約録画装置は、請求項４記載の予約録画装置において、前記予約希望度を監視する予約希望度監視手段と、利用者が予約録画を実行するために必要な閾値を設定する予約希望度設定手段と、予約されたコンテンツの予約希望度が、前記予約希望度設定手段により設定された閾値を下回ったときに自動的に予約を取り消す予約取り消し手段とを備えた。
【００１６】
請求項６記載の予約録画装置は、請求項４記載の予約録画装置において、前記予約希望度を監視する予約希望度監視手段と、利用者が予約録画を実行するために必要な閾値を設定する予約希望度設定手段と、予約されたコンテンツの予約希望度が、前記予約希望度設定手段により設定された閾値を下回ったときに自動的に録画を一時停止し、閾値を上回ったときに録画を再開する予約待機手段とを備えた。
【００１７】
請求項７記載の予約録画装置は、請求項１または４記載の予約録画装置において、予約されたコンテンツが中止されたとき、またはコンテンツの予約希望度が利用者により予め設定された閾値を下回ったために予約処理を中止したときに、代わりに予約するコンテンツを登録する代替予約登録手段を備えた。
【発明の効果】
【００１８】
この発明の請求項１記載の予約録画装置によれば、所望のコンテンツの受信を予約できる予約手段と、予約内容が実行される予約成功率を算出しその結果を提示する予約成功率提示手段とを備えているので、予約設定の時点で、当該予約が成功する確率を提示することにより、予約設定の時点で、事後の予約処理の対応を柔軟に選択できるという優れた効果がある。例えば、雨天による番組の中止確率や、番組が延長する確率と記録媒体の残量などから予約が期待通りに実行される確率を予約設定時または視聴者が確認を要求した時点で定量的に提示することができる。
【００１９】
請求項２では、請求項１記載の予約録画装置において、予約成功率提示手段は、予約成功率の算出に、当該コンテンツ提供地の天候を用いることが望ましい。これにより雨天による番組の中止確率を算出することができる。
【００２０】
請求項３では、請求項１記載の予約録画装置において、予約成功率提示手段は、予約成功率の算出に、録画媒体の残量に基づく録画可能時間と、当該コンテンツ提供時間が延長する可能性とを用いることが望ましい。これにより番組が延長する可能性と記録媒体の残量から予約が期待通りに実行される確率を算出することができる。
【００２１】
この発明の請求項４記載の予約画像装置によれば、所望のコンテンツの受信を予約できる予約手段と、予約内容が利用者にとってどの程度希望を満たすものであるかという予約希望度を算出しその結果を提示する予約希望度提示手段とを備えているので、予約処理を実行する時点で、当該予約処理が利用者にとってどの程度有意になりうるかという値を提示することにより、予約設定の時点で利用者が予約処理の必要性について事前に検討することが可能になるという優れた効果がある。例えば、
・当該予約番組の出演者や出場する可能性のある選手
・スポーツ中継など最終的に勝敗が決するような番組の場合は、過去のデータから視聴者の希望する結果・得点差になる確率
・視聴者が競馬やスポーツくじなどで購入している試合が含まれるか否か
から視聴者の興味にどの程度沿うものであるかを算出し、予約設定時または視聴者が確認を要求した時点で定量的に提示することができる。
【００２２】
請求項５では、請求項４記載の予約録画装置において、予約希望度を監視する予約希望度監視手段と、利用者が予約録画を実行するために必要な閾値を設定する予約希望度設定手段と、予約されたコンテンツの予約希望度が、予約希望度設定手段により設定された閾値を下回ったときに自動的に予約を取り消す予約取り消し手段とを備えていることが望ましい。すなわち、予約設定時に番組の予約希望度の閾値を設定することにより、番組放送時間が延長された際など、希望度が閾値を下回った時点で予約録画を停止することができる。このように予約された番組について当該予約の有意性をたえず確認することにより、不必要な記録媒体の浪費を抑制するという優れた効果がある。
【００２３】
請求項６では、請求項４記載の予約録画装置において、予約希望度を監視する予約希望度監視手段と、利用者が予約録画を実行するために必要な閾値を設定する予約希望度設定手段と、予約されたコンテンツの予約希望度が、予約希望度設定手段により設定された閾値を下回ったときに自動的に録画を一時停止し、閾値を上回ったときに録画を再開する予約待機手段とを備えていることが望ましい。すわなち、予約設定時に番組の予約希望度の閾値を設定することにより、番組放送時間が延長された際など、希望度が閾値を下回った時点で予約録画を停止し、その後、再び希望度が閾値を上回った時点で予約録画を再開することができる。このように予約された番組について当該予約の有意性をたえず確認することにより、不必要な記録媒体の浪費を抑制するという優れた効果がある。
【００２４】
請求項７では、請求項１または４記載の予約録画装置において、予約されたコンテンツが中止されたとき、またはコンテンツの予約希望度が利用者により予め設定された閾値を下回ったために予約処理を中止したときに、代わりに予約するコンテンツを登録する代替予約登録手段を備えていることが望ましい。予約を希望する番組が中止された際に代わりに録画する番組をあらかじめ登録しておくことにより、最も利用者が望む予約結果となることを補助することが可能になるという優れた効果がある。
【発明を実施するための最良の形態】
【００２５】
この発明の第１の実施の形態を図１〜図７に基づいて説明する。図１は、この発明の実施形態の予約録画装置の概略構成を示すブロック図である。
【００２６】
この予約録画装置は、所望のコンテンツの受信を予約できる予約手段と、予約内容が期待通りに実行される予約成功率を算出しその結果（実行可能性）を提示する予約成功率提示手段と、予約内容が利用者にとってどの程度希望を満たすものであるかという予約希望度を算出しその結果（有意性）を提示する予約希望度提示手段とを備えている。
【００２７】
この場合、デジタル放送チューナ１、ＴＳデコーダ２、システムコントローラ３、ユーザ入力送信機４、ユーザ入力受信機５、番組情報抽出装置６、ＡＶデコーダ７、予約制御装置８、予約判定装置９、ＯＳＤ表示装置１０、音声・映像記録装置１１、モデム１２、不揮発性メモリ１３を備えている。予約手段はシステムコントローラ３と予約制御装置８で構成され、予約成功率提示手段（予約希望度提示手段）は予約制御装置８と予約判定装置９とＯＳＤ表示装置１０で構成される。
【００２８】
デジタル放送チューナ１は受信信号を復調し、トランスポートストリームのデジタル信号に変換する。ＴＳデコーダ２はデジタル放送チューナ１から受信したトランスポートストリーム内に多重された各チャンネルから特定のチャンネルを分離しデスクランブルする。デジタル放送チューナ１およびＴＳデコーダ２はそれぞれシステムコントローラ３からの制御情報により制御される。
【００２９】
ユーザ入力送信機４はリモートコントロール（ＴＶリモコン）またはキーボードを示し、ユーザ入力送信機４より得られるデータは、ユーザ入力受信機５が受信し、システムコントローラ３で判別する。
【００３０】
視聴者により電子番組ガイドを表示するよう操作された場合は、番組情報抽出装置６が、ＴＳデコーダ２から番組情報を取り出し、解析した後、ＯＳＤ表示装置１０により電子番組ガイドを表示する。
【００３１】
視聴者により番組予約を行うよう操作された場合は、システムコントローラ３から予約制御装置８に対して番組予約要求が発行され、予約判定装置９で予約成功率および予約希望度を算出した結果を踏まえて予約処理が行われる。その際必要に応じて、モデム１２を、電話回線を通じてインターネットに接続し、コンピュータネットワークを利用するために用いる。
【００３２】
音声・映像記録装置１１は、ＡＶデコーダ７でデコードされた音声および映像データを記録するための装置であり、例えばビデオテープレコーダ、ＤＶＤレコーダ、ＨＤＤレコーダなどである。
【００３３】
不揮発性メモリ１３は、視聴者の嗜好情報や各地の天気情報、予約番組の番組情報などを格納する。
【００３４】
タイマ装置は、現在の時刻情報が発生されており、この時刻情報はシステムコントローラ３で不揮発性メモリ１３に格納されている予約番組の開始時刻や終了時刻と比較される。
【００３５】
以下、図２〜図４に示すフローチャートを用いて、視聴者からの予約設定時に、該当予約の予約成功率および予約希望度を算出し定量的に提示するための処理について説明する。ただし、予約成功率は２つの要因から算出するものとし、それぞれを予約成功率ａ、予約成功率ｂとして説明する。
【００３６】
図２は視聴者からの予約設定時に、該当予約の予約成功率ａを算出し定量的に提示するためのフローチャートを示している。まず、ユーザ入力送信機４から入力された、視聴者からの番組予約要求を受信したユーザ入力受信機５がシステムコントローラ３に要求の発生を通知する（ステップＳ２０）。システムコントローラ３はそれが番組予約要求であることを認識し、番組情報抽出装置６に対して当該番組情報の取得要求を発行する。番組情報抽出装置６はＴＳデコーダ２に対して当該番組の番組情報の取得要求を発行し、取得した情報から、当該番組の開始時間や、番組中止・延長の可能性の有無といった情報を抽出し、システムコントローラ３に通知する（ステップＳ２１）。次にシステムコントローラ３は予約制御装置８に対して、番組予約要求を発行する。予約制御装置８は、まず予約判定装置９に対して予約成功率ａの算出を要求する。要求を受けた予約判定装置９は、当該番組が雨天中止の可能性のある番組であった場合には、モデム１２に接続した電話回線を通じてインターネットを始めとするコンピュータネットワークを利用し、所定のＷｅｂサーバが提供する天気情報サービスを取得する。ここで、あらかじめ地域別の天気を蓄積しておけるシステムである場合は、不揮発性メモリ１３に蓄積された天気情報を使用してもかまわない。また、デジタルテレビジョン放送の天気情報番組から取得する方法を代用する手段でもかまわない。上記の方法により取得された天気情報サービスから当該番組の中継場所および中継時間から予測される天気情報を抽出し（ステップＳ２２）、雨天中止となる確率を算出することにより、予約成功率ａを生成する（ステップＳ２３）。生成された予約成功率ａは予約制御装置８によりＯＳＤ表示装置１０を用いて視聴者に提示され（ステップＳ２４）、最終的な予約の実行の判断を視聴者に促す。
【００３７】
図３は視聴者からの予約設定時に、該当予約の予約成功率ｂを算出し定量的に提示するためのフローチャートを示している。まず、ユーザ入力送信機４から入力された、ユーザからの番組予約要求を受信したユーザ入力受信機５がシステムコントローラ３に要求の発生を通知する（ステップＳ３０）。システムコントローラ３はそれが番組予約要求であることを認識し、番組情報抽出装置６に対して当該番組情報の取得要求を発行する。番組情報抽出装置６はＴＳデコーダ２に対して当該番組の番組情報の取得要求を発行し、取得した情報から、当該番組の開始時間や、番組中止・延長の可能性の有無といった情報を抽出し、システムコントローラ３に通知する（ステップＳ３１）。次にシステムコントローラ３は予約制御装置８に対して、番組予約要求を発行する。予約制御装置８は、まず予約判定装置９に対して予約成功率ｂの算出を要求する。要求を受けた予約判定装置９は、当該番組が番組延長の可能性のある番組であった場合には、モデム１２に接続した電話回線を通じてインターネットを始めとするコンピュータネットワークを利用し、所定のＷｅｂサーバが提供するデータから過去の放送時間、あるいはスポーツ中継であれば試合終了までの時間を取得する（ステップＳ３２）。上記の方法により取得された情報から番組が延長される可能性ならびに延長時間を推測する（ステップＳ３３）。
【００３８】
また予約判定装置９は、音声・映像記録装置１１から録画可能な残録画容量を取得する（ステップＳ３４）。上記の方法により取得される延長時間と残録画容量を比較し、最後まで録画に成功する確率を算出することにより、予約成功率ｂを生成する（ステップＳ３５）。生成された予約成功率ｂは予約制御装置８によりＯＳＤ表示装置１０を用いて視聴者に提示され（ステップＳ３６）、最終的な予約の実行の判断を視聴者に促す。
【００３９】
図４は視聴者からの予約設定時に、該当予約の予約希望度を算出し定量的に提示するためのフローチャートを示している。まず、ユーザ入力送信機４から入力された、ユーザからの番組予約要求を受信したユーザ入力受信機５がシステムコントローラ３に要求の発生を通知する（ステップＳ４０）。システムコントローラ３はそれが番組予約要求であることを認識し、番組情報抽出装置６に対して当該番組情報の取得要求を発行する。番組情報抽出装置６はＴＳデコーダ２に対して当該番組の番組情報の取得要求を発行し、取得した情報から、当該番組の開始時間や、番組中止・延長の可能性の有無といった情報を抽出し、システムコントローラ３に通知する（ステップＳ４１）。次にシステムコントローラ３は予約制御装置８に対して、番組予約要求を発行する。予約制御装置８は、まず予約判定装置９に対して予約希望度の算出を要求する。要求を受けた予約判定装置９は、あらかじめ視聴者によって入力されたキーワードや録画条件を不揮発性メモリ１３から取得する（ステップＳ４２）。もちろん、ユーザ入力送信機４を用いてこの時点で視聴者にキーワードや録画条件の入力を求めてもかまわない。さらに当該番組の属性にしたがって、当該番組の出演者や、スポーツ番組であった場合はその出場選手やスポーツ団体の過去の勝率などの情報をモデム１２に接続した電話回線を通じてインターネットを始めとするコンピュータネットワークを利用し、所定のＷｅｂサーバから取得する（ステップＳ４３）。このとき、それらの情報が番組情報に含まれる場合はそのまま利用してもかまわない。上記の方法により取得される情報を合わせ、視聴者が設定したキーワードや録画条件と比較し、視聴者の興味にどの程度沿うものであるかを算出することにより、予約希望度を生成する（ステップＳ４４）。生成された予約希望度は予約制御装置８によりＯＳＤ表示装置１０を用いてユーザに提示され（ステップＳ４５）、最終的な予約の実行の判断をユーザに促す。
【００４０】
以上、求めた予約成功率ａ、予約成功率ｂ、予約希望度は、予約設定時または視聴者が予約の確認を要求した時に設定画面に表示するだけでなく、録画実行中であれば予約成功率ａ、予約成功率ｂ、予約希望度の値により録画を停止したり代替番組を録画したりする処理に用いる。
【００４１】
また、説明では予約成功率ａ、予約成功率ｂ、予約希望度のそれぞれを天気予報や過去の試合結果から算出しているが、本発明は上記の条件に限定するものではなく、それ以外の条件を幾つ使用して算出してもかまわない。また、予約成功率ａ、予約成功率ｂ、予約希望度の少なくとも１つを使用してもよい。
【００４２】
次に、この発明の第２の実施の形態を図５〜図７に基づいて説明する。本実施形態では、予約録画実行時に予約希望度を監視して処理を行う。
【００４３】
図５は予約録画実行時に該当予約の予約希望度を監視し、それらの値があらかじめ設定された閾値を下回った場合に自動的に予約を取り消すためのフローチャートを示している。
【００４４】
この場合、上記構成に加えて、予約希望度を監視する予約希望度監視手段と、利用者が予約録画を実行するために必要な閾値を設定する予約希望度設定手段と、予約されたコンテンツの予約希望度が、予約希望度設定手段により設定された閾値を下回ったときに自動的に予約を取り消す予約取り消し手段とを備えている。
【００４５】
まず、システムコントローラ３はタイマ装置１４が発生する現在の時刻情報と不揮発性メモリ１３に格納されている予約番組の開始時刻を比較し、開始時刻になったか否かを判定する。開始時刻になったことを検出すると、システムコントローラ３は予約制御装置８に対して、番組予約開始要求を発行する。次に、予約制御装置８は予約判定装置９に対して予約希望度の算出を要求する。要求を受けた予約判定装置９は上記の方法で予約希望度を算出し、これらの値があらかじめ視聴者によって設定された閾値を上回っているか否かを判定する（ステップＳ５１）。閾値を上回っていた場合、予約制御装置８はシステムコントローラ３に対し録画の開始を要求し、システムコントローラ３はＴＳデコーダ２から該当番組の音声・映像信号を取得しＡＶデコーダ７を通じて音声・映像記録装置１１に録画を開始する（ステップＳ５２およびステップＳ５３）。予約制御装置８は録画を開始した後も、予約判定装置９に対し定期的に該当予約の予約希望度の算出および判定を要求し、予約有意度を監視している。また、システムコントローラ３はタイマ装置１４が発生する現在の時刻情報と不揮発性メモリ１３に格納されている予約番組の終了時刻を比較し、終了時刻になったか否かを判定する（ステップＳ５０）。終了時刻になったことを検出すると、システムコントローラ３は予約制御装置８に対して番組予約終了要求を発行する。
予約制御装置８は、予約録画開始時に閾値を下回っていた場合もしくは予約録画実行中に閾値を下回った場合、またはシステムコントローラ３から番組予約終了要求を受けた場合に、システムコントローラ３に録画停止を要求し予約の取り消しを行う（ステップＳ５４〜ステップＳ５６）。録画停止の要求を受けたシステムコントローラ３は音声・映像記録装置１１への録画を停止する。
【００４６】
以上、上記の方法で予約を取り消した場合に、代わりに録画する番組をあらかじめ登録してあったならば代替番組の録画を開始するためのフローチャートを図６に示している。
【００４７】
この予約録画装置は、上記構成に加えて、予約されたコンテンツが中止されたとき、またはコンテンツの予約希望度が利用者により予め設定された閾値を下回ったために予約処理を中止したときに、代わりに予約するコンテンツを登録する代替予約登録手段を備えている。
【００４８】
ステップＳ６０からステップＳ６６までの処理は図５で説明したステップＳ５０〜ステップＳ５６までの手順と同様である。
【００４９】
予約番組の開始時刻に予約判定装置９により算出した予約希望度が閾値を下回っていた場合もしくは予約録画実行中に閾値を下回った場合、予約制御装置８はシステムコントローラ３に対し録画停止を要求する（ステップＳ６７およびステップＳ６８）。次に、代替番組が登録されていた場合、予約制御装置８はシステムコントローラ３に対し代替番組の録画開始を要求する（ステップＳ６９）。代替番組が登録されていなければ予約を取り消す。
【００５０】
図７は予約録画実行時に、該当予約の予約希望度を監視し、それらの値があらかじめ設定された閾値を下回った場合に自動的に録画を一時停止し、閾値を上回ったときに録画を再開するためのフローチャートを示している。
【００５１】
この場合、上記構成に加えて、予約取り消し手段の代わりに、予約されたコンテンツの予約希望度が、予約希望度設定手段により設定された閾値を下回ったときに自動的に録画を一時停止し、閾値を上回ったときに録画を再開する予約待機手段を備えている。
【００５２】
ステップＳ７０からステップＳ７６までの処理は上記図５で説明したステップＳ５０〜ステップＳ５６までの手順と同様である。
【００５３】
予約番組の開始時刻に予約判定装置９により算出した予約希望度が閾値を下回っていた場合もしくは予約録画実行中に閾値を下回った場合、予約制御装置８はシステムコントローラ３に録画停止を要求し予約の待機を行う（ステップＳ７７およびステップＳ７８）。ここで記述する予約の待機とは、予約の取り消しを行わず予約の再開要求があるまで録画を停止させることを意味する。予約制御装置８は予約を待機させた後も、予約判定装置９に対し定期的に該当予約の予約希望度の算出および判定を要求し、予約有意度を監視している。予約希望度が閾値を上回った場合、システムコントローラ３に対し録画再開を要求し、音声・映像記録装置１１に録画が開始される。また、予約を待機させたまま番組予約終了要求を受けた場合は、予約制御装置８は該当予約を取り消す。
【００５４】
以上、上記の方法で予約を取り消しや待機させた場合または代替番組を録画した場合に、その旨を予約履歴などで視聴者に提示する機能があればなお良い。
【産業上の利用可能性】
【００５５】
本発明にかかる予約録画装置は、デジタルテレビジョン放送受信機に搭載されることが有用である。またインターネットを通じて配信されるコンテンツの記録装置としても応用できる。
【図面の簡単な説明】
【００５６】
【図１】本発明の第１の実施形態の予約録画装置のブロック図である
【図２】第１の実施形態の予約録画装置における予約成功率ａを算出するフローチャートである。
【図３】第１の実施形態の予約録画装置における予約成功率ｂを算出するフローチャートである。
【図４】第１の実施形態の予約録画装置における予約希望度を算出するフローチャートである。
【図５】本発明の第２の実施形態の予約録画装置において予約を取り消すフローチャートである。
【図６】第２の実施形態の予約録画装置において代替番組の録画を開始するフローチャートである。
【図７】第２の実施形態の予約録画装置において予約を待機・再開させるフローチャートである。
【符号の説明】
【００５７】
３  システムコントローラ
６  番組情報抽出装置
８  予約制御装置
９  予約判定装置
１１  音声・映像記録装置
【図１】
2006074459.tif 000003
【図２】
2006074459.tif 000004
【図３】
2006074459.tif 000005
【図４】
2006074459.tif 000006
【図５】
2006074459.tif 000007
【図６】
2006074459.tif 000008
【図７】
2006074459.tif 000009